(57)【要約】【課題】コンパクトに搬送でき、かつ、部品忘れがなく簡易かつ迅速な撤収作業および組み立て作業を確保することのできる、展示棚を提供すること。【解決手段】展示棚１を、折り曲げ可能な棚板３と折り曲げ可能な脚４とを備える複数の棚ユニット２から構成する。この展示棚１は、まず、略ボックス状に折り畳まれた各棚ユニット２（４ａ、４ｂ、４ｃ）を、各棚板片５を長手方向外側に開いて、各受け板６が面一となる状態とし、次いで、各脚４を、長手方向外側に向けて、棚板３の長手方向と略直交する方向となるまで開けることにより組み立てる。次いで、組み立てられた各棚ユニット２（４ａ、４ｂ、４ｃ）を積み上げることにより、簡易かつ迅速に組み立てることができる。また、折り畳み状態では、コンパクトなボックス状となるので、専用の大型トラックによらずとも、宅配便などによって低コストで搬送することができる。【選択図】　　図７
2004016377.tif 000002
【特許請求の範囲】
【請求項１】
被展示物を載置する棚板と、前記棚板から前記棚板の長手方向に対して略直交方向に延びる脚とを備える棚ユニットを複数備え、
前記脚が、前記棚板の長手方向に沿う方向に折り曲げ可能に構成されており、
前記棚板が、長手方向途中で折り曲げ可能とされ、折り曲げられた状態において、折り曲げられた前記脚を収容可能に構成されていることを特徴とする、展示棚。
【請求項２】
各前記棚ユニットが、積み上げ可能に構成されており、
少なくとも１つの前記棚ユニットには、その棚ユニットの上に積み上げられる棚ユニットを位置決めするための位置決め部が設けられていることを特徴とする、請求項１に記載の展示棚。
【発明の詳細な説明】
【０００１】
【発明の属する技術分野】
本発明は、主として催事会場などで被展示物を展示するために用いられる展示棚に関する。
【０００２】
【従来の技術】
主として催事会場などで用いられる展示棚は、左右方向に所定間隔を隔てて配置される１対の側板と、それら側板の間に、互いに上下方向に所定間隔を隔てて架設される複数枚の棚板とを備えている。このような展示棚は、催事期間中には、商品などの種々の被展示物を展示するために用いられる一方で、催事期間が終了すると、通常、側板と棚板とに分解された後、次の催事会場に搬送され、その催事会場において、再び組み立てられて使用されている。
【０００３】
【発明が解決しようとする課題】
しかし、展示棚は、多くの被展示物を展示するための専用の棚であることから、通常、大型であり、その側板や棚板も長く、さらには、１つの催事会場に多数の展示棚を搬入する必要があることから、それらの搬送には、通常、大型トラックなどが使用されている。
【０００４】
また、このような展示棚は、ある催事会場での催事が終了すると分解され、次の催事会場に搬送された後に、再び組み立てられるので、たとえば、前回の催事会場に、側板や棚板を固定するためのボルトなどを忘れてきてしまうと、次の催事会場で組み立てることができないという不具合がある。
【０００５】
本発明は、このような事情に鑑みなされたものであり、その目的とするところは、コンパクトに搬送でき、かつ、部品忘れがなく簡易かつ迅速な撤収作業および組み立て作業を確保することのできる、展示棚を提供することにある。
【０００６】
【課題を解決するための手段】
上記の目的を達成するため、請求項１に記載の発明は、被展示物を載置する棚板と、前記棚板から前記棚板の長手方向に対して略直交方向に延びる脚とを備える棚ユニットを複数備え、前記脚が、前記棚板の長手方向に沿う方向に折り曲げ可能に構成されており、前記棚板が、長手方向途中で折り曲げ可能とされ、折り曲げられた状態において、折り曲げられた前記脚を収容可能に構成されていることを特徴としている。
【０００７】
このような構成によると、脚を棚板の長手方向に沿う方向に折り曲げた後に、棚板を長手方向途中で折り曲げて、折り曲げられた脚を収容すれば、各棚ユニットをコンパクトに折り畳むことができる。そのため、撤収作業の簡易化および迅速化を図ることができるとともに、その後の省スペースでの搬送を実現することができる。また、次に組み立てる場合には、各棚ユニットにおいて、折り曲げられている棚板を開けて棚板を面一とし、また、折り曲げられている脚を棚板の長手方向と略直交方向に延びるように開ければ、簡易かつ迅速に組み立てることができる。しかも、このような撤収作業および組み立て作業においては、各棚ユニットの棚板および脚を、折り曲げまたは開けるのみであって、その他の部品を使用せずにすむため、部品忘れにより組み立てできないという不具合を回避することができる。
【０００８】
また、請求項２に記載の発明は、請求項１に記載の発明において、各前記棚ユニットが、積み上げ可能に構成されており、少なくとも１つの前記棚ユニットには、その棚ユニットの上に積み上げられる棚ユニットを位置決めするための位置決め部が設けられていることを特徴としている。
【０００９】
このような構成によると、各棚ユニットを積み上げることにより、展示棚を構成することができるので、被展示物の数など展示条件に適合させた任意の棚板の数の展示棚を構成することができる。しかも、各棚ユニットの積み上げにおいては、位置決め部によって、その上に積み上げられる棚ユニットを確実に位置決めすることができるので、確実な組み立てを確保することができる。
【００１０】
【発明の実施の形態】
図１は、本発明の一実施形態を示す展示棚の概略斜視図である。
【００１１】
図１において、この展示棚１は、たとえば、催事会場などにおいて、カバンなどの種々の商品などの被展示物を展示するために使用され、棚板３および脚４を備える複数の棚ユニット２から構成されている。
【００１２】
より具体的には、図１に示す実施形態では、床に設置される最下位の第１棚ユニット４ａと、第１棚ユニット４ａの上に積み上げられる中間位の第２棚ユニット４ｂと、第２棚ユニット４ｂの上に積み上げられる最上位の第３棚ユニット４ｃとから構成されている。
【００１３】
たとえば、第３棚ユニット４ｃは、図５および図６に示すように、被展示物を載置する棚板３と、この棚板３を支持するための脚４とを備えている。
【００１４】
棚板４は、折り曲げ可能な２つの棚板片５を備えている。各棚板片５は、略矩形平板状の受け板６と、受け板６の四方周縁部から下方に向けて後述する脚４および当接板８の厚さ分だけ突出形成される側板７とを備えている。また、図６（ｃ）に示すように、受け板６における側板７と隣り合う内側周囲部には、後述する脚４が当接する当接板８が設けられており、さらに、棚板片５における長手方向（棚板４の長手方向、以下、特に言及しない限り長手方向は、棚板４の長手方向をいう。）中央部には、長手方向と直交する方向において、互いに対向する当接板８の間に架設される補強板９が設けられている。なお、当接板８は、収容される脚４を受けるものであり、薄板状に形成されている。また、補強板９の厚さも、当接板８とほぼ同一の厚さで形成されている。
【００１５】
そして、各棚板片５は、各棚板片５の側板７が対向状に当接するように、互いに長手方向に沿って配置された状態で、互いに対向する各側板７の遊端部にわたって蝶番１０が埋設されることにより、この蝶番１０を介して折り曲げ可能に連結されている。これによって、各棚板片５は、図６（ｂ）で示すように、受け板６の表面が長手方向において隙間なく面一となるように開けられた状態から、図６（ａ）で示すように、それらの両端部（すなわち、互いに対向する内側の各側板７と長手方向において反対側に位置される外側の各側板７）が対向状に当接される状態となるまで、折り曲げが可能とされている。
【００１６】
なお、蝶番１０は、各側板７の遊端部に埋設されていることから、受け板６の表面が長手方向において隙間なく面一となるように開けられた状態では、その表面からは見えず、意匠性の向上が図られている。
【００１７】
また、脚４は、図６（ｃ）に示すように、棚板３の長手方向外側両端部にそれぞれ設けられている。各脚４は、略矩形枠状をなし、受け板６の長手方向端部において、長手方向と直交する方向で側板７に沿って配置される基杆１１と、基杆１１の両端部から下方に向かって延びる１対の脚杆１２と、１対の脚杆１２の下端部において架設される載置杆１３とを備えている。
【００１８】
また、各脚４は、その幅（基杆１１と、その両端部に配置される２つの脚杆１２とを合わせた長さ）が、各棚板片５における長手方向と直交する方向で対向する各側板７の間隔とほぼ等しく、また、その長さ（基杆１１の上端部から脚杆１２の下端部までの長さ）が、各棚板片５における長手方向で対向する各側板７の間隔より短く形成されている。
【００１９】
そして、各脚４は、基杆１１の上端部が、当接板８に対向状に当接するような状態で、基杆１１の内側面と当接板８とにわたって蝶番１４が取り付けられることにより、この蝶番１０を介して、受け板６に対して折り曲げ可能に連結されている。これによって、各脚４は、図６（ｃ）に示すように、棚板３の長手方向に対して略直交方向に延びる状態から、図６（ｂ）に示すように、当接板８に当接することにより棚板３の長手方向に沿い、各棚板片５の側板７内に収容される状態となるまで、折り曲げが可能とされている。
【００２０】
これによって、この第３棚ユニット４ｃは、図５（ｃ）および図６（ｃ）に示す使用状態から、まず、各脚４を棚板３の長手方向内側に向けて折り曲げれば、図５（ｂ）および図６（ｂ）に示すように、各脚４が各棚板片５内に収容され、次いで、各棚板片５を長手方向中央部から互いに長手方向内側に折り曲げれば、図５（ａ）および図６（ａ）に示すように、各棚板片５が互いに内向きに向き合い、各棚板片５の側板７が当接する、コンパクトな略矩形ボックス状の折り畳み状態とすることができる。
【００２１】
また、第２棚ユニット４ｂも、図４に示すように、第３棚ユニット４ｃと同様に、棚板３と脚４とを備えている。
【００２２】
なお、第２棚ユニット４ｂの各脚４の長さは、第３棚ユニット４ｃよりも長く、各棚板片５における長手方向で対向する各側板７の間隔とほぼ等しく（より具体的には、基杆１１を折り曲げ状に回動させるために、基杆１１の厚み分だけ短く）形成されている。
【００２３】
また、第２棚ユニット４ｂには、各棚板片５における受け板６の長手方向外側端部には、位置決め部としての位置決め凹部１５が形成されている。すなわち、各位置決め凹部１５は、棚板３の長手方向両端部において、この第２棚ユニット４ｂに積み上げられる第３棚ユニット４ｃの各脚４の載置杆１３が対向する位置に、載置杆１３とほぼ同じ略細長矩形状で、受け板６の厚さ方向の１／３以内の溝深さとして形成されている。
【００２４】
なお、第２棚ユニット４ｂは、上記した以外は、第３棚ユニット４ｃと同一の構成を備えている。
【００２５】
そして、この第２棚ユニット４ｂも、第３棚ユニット４ｃと同様に、図４（ｃ）に示す使用状態から、まず、各脚４を棚板３の長手方向内側に向けて折り曲げれば、図４（ｂ）に示すように、各脚４が各棚板片５内に収容され、次いで、各棚板片５を長手方向中央部から互いに長手方向内側に折り曲げれば、図４（ａ）に示すように、各棚板片５が互いに内向きに向き合い、各棚板片５の側板７が当接する、コンパクトな略矩形ボックス状の折り畳み状態とすることができる。
【００２６】
また、第１棚ユニット４ａも、図３に示すように、第３棚ユニット４ｃと同様に、棚板３と脚４とを備えている。なお、この第１棚ユニット４ａは、最下位の棚ユニット２であることから、各脚４の長さが、第３棚ユニット４ｃよりも短く（第２棚ユニット４ｂの約半分程度）、また、各載置杆１３が１対の脚杆１２の下方における長手方向途中において架設され、使用状態においては、図３（ｄ）に示すように、各載置杆１３の間に支持板１７が架設されている。
【００２７】
すなわち、第１棚ユニット４ａにおいては、各脚４の各載置杆１３には、長手方向中央部に上面から凹状に窪む受入凹部１６が形成されており、また、支持板１７の両端部には、受入凹部１６と嵌合する段部１８が形成されている。そして、支持板１７を、長手方向に沿って配置して、各段部１８を各受入凹部１６に嵌合させることによって、支持板１７が各載置杆１３の間に架設されている。なお、支持板１７は、長手方向中央部において、蝶番１９を介して連結されており、これによって、中央部において折り曲げ可能に構成されている。
【００２８】
また、この第１棚ユニット４ａにも、第２棚ユニット４ｂと同様に、位置決め凹部１５が形成されている。
【００２９】
なお、第１棚ユニット４ａは、上記した以外は、第３棚ユニット４ｃと同一の構成を備えている。
【００３０】
そして、第１棚ユニット４ａは、図３（ｄ）に示す使用状態から、まず、支持板１７を取り外して、その支持板１７を折り曲げれば、図３（ｃ）に示すように、支持板１７をコンパクトな折り畳み状態とすることができる。次いで、各脚４を棚板３の長手方向内側に向けて折り曲げれば、図３（ｂ）に示すように、各脚４が各棚板片５内に収容され、次いで、各棚板片５を長手方向中央部から互いに長手方向内側に折り曲げれば、図３（ａ）に示すように、各棚板片５が互いに内向きに向き合い、各棚板片５の側板７が当接する、コンパクトな略矩形ボックス状の折り畳み状態とすることができる。
【００３１】
図２には、このような各棚ユニット２の折り畳み状態が示されている。図２に示すように、各棚ユニット２は、コンパクトに折り畳むことができるので、撤収作業の簡易化および迅速化を図ることができる。また、その後の省スペースでの搬送を実現することができる。そのため、従来の展示棚では、専用の大型トラックなどによって搬送する必要があったが、この展示棚１では、コンパクトに折り畳むことができるので、たとえば、宅配便などによって搬送することも可能であり、搬送コストの著しい低減化を図ることができる。
【００３２】
なお、このようにして折り畳まれる各棚ユニット２は、それぞれ収容ケース（ハードケース）に収容した状態で搬送してもよい。収容ケースに収容することで、各棚ユニット２の搬送中の損傷を防止することができる。
【００３３】
次に、このように各棚ユニット２が折り畳まれた状態から、展示棚１を組み立てる作業について説明する。
【００３４】
展示棚１を組み立てるには、まず、各棚ユニット２を組み立てる。すなわち、第１棚ユニット４ａの組み立ては、図３（ａ）に示すように、まず、各棚板片５を長手方向外側に開いて、図３（ｂ）に示すように、各受け板６が面一となる状態とし、次いで、図３（ｃ）に示すように、各脚４を、長手方向外側に向けて、棚板３の長手方向と略直交する方向となるまで開き、その後、図３（ｄ）に示すように、支持板１７を、各載置杆１３の間に架設すればよい。
【００３５】
また、第２棚ユニット４ｂの組み立ては、図４（ａ）に示すように、まず、各棚板片５を長手方向外側に開いて、図４（ｂ）に示すように、各受け板６が面一となる状態とし、次いで、図４（ｃ）に示すように、各脚４を、長手方向外側に向けて、棚板３の長手方向と略直交する方向となるまで開けばよい。
【００３６】
また、第３棚ユニット４ｃの組み立ては、図５（ａ）に示すように、まず、各棚板片５を長手方向外側に開いて、図５（ｂ）に示すように、各受け板６が面一となる状態とし、次いで、図５（ｃ）に示すように、各脚４を、長手方向外側に向けて、棚板３の長手方向と略直交する方向となるまで開けばよい。
【００３７】
そして、組み立てられた各棚ユニット２を、図７に示すように、積み上げればよい。すなわち、図７においては、第１棚ユニット４ａの上に、第２棚ユニット４ｂが、第１棚ユニット４ａの各位置決め凹部１５に、第２棚ユニット４ｂの載置杆１３が受け入れられることにより、第２棚ユニット４ｂが第１棚ユニット４ａに対して位置決めされた状態で積み上げられる。また、第２棚ユニット４ｂの上に、第３棚ユニット４ｃが、第２棚ユニット４ｂの各位置決め凹部１５に、第３棚ユニット４ｃの載置杆１３が受け入れられることにより、第３棚ユニット４ｃが第２棚ユニット４ｂに対して位置決めされた状態で積み上げられる。このような積み上げにおいては、位置決め凹部１５と載置杆１５との嵌合によって、その上に積み上げられる棚ユニット２を確実に位置決めすることができるので、確実な組み立てを確保することができる。
【００３８】
なお、このような展示棚１の組み立ては、棚ユニット２を１つ組み立てる毎に、積み上げてもよく、また、棚ユニット２をすべて組み立ててから、順次積み上げてもよい。
【００３９】
そして、このような組み立てによれば、展示棚１を、簡易かつ迅速に組み立てることができる。しかも、上記した撤収作業やこのような組み立て作業では、各棚ユニット２の棚板３および脚４を、折り曲げまたは開けるのみであって、その他の部品を使用せずにすむため、部品忘れにより組み立てできないという不具合を回避することができる。
【００４０】
そのため、このような展示棚１は、ある催事会場での催事が終了すると、次の催事会場に搬送されるような展示専用の展示棚として、有効に用いることができる。
【００４１】
しかも、この展示棚１では、複数の棚ユニット２、すなわち、床に設置される最下位の第１棚ユニット４ａ、第１棚ユニット４ａの上に積み上げられる中間位の第２棚ユニット４ｂ、および、第２棚ユニット４ｂの上に積み上げられる最上位の第３棚ユニット４ｃから構成されているので、たとえば、被展示物の数など展示条件に適合させて、第２棚ユニット４ｂの数を適宜選択する（上記の説明では１つであるが、第２棚ユニット４ｂを複数用意する。）ことで、その展示条件に応じた任意の棚板３の数の展示棚１を構成することができる。
【００４２】
なお、このような展示棚１は、その材質などは特に限定されないが、たとえば、なら材などの高級感のある木材から形成すれば、たとえば、図９に示すように、高級感のある意匠性に優れた展示棚１として、各種の催事会場において、有効に使用することができる。なお、図９には、被展示物として、ハンドバッグが展示されている状態が示されている。
【００４３】
また、上記の説明では、第２棚ユニット４ｂの各脚４の長さに対して、第３棚ユニット４ｃの各脚４の長さを短く、また、第３棚ユニット４ｃの各脚４の長さに対して、第１棚ユニット４ａの各脚４の長さを短く形成したが、これらの各棚ユニット２の各脚４の長さは、特に限定されず、被展示物の大きさなどに合わせて適宜選択することができ、たとえば、第２棚ユニット４ｂの各脚４の長さと、第３棚ユニット４ｃの各脚４の長さとを同じ長さとしてもよく、さらには、すべての各棚ユニット２の各脚４の長さを同じにしてもよい。
【００４４】
たとえば、靴などを展示する場合には、各棚ユニット２の各脚４の長さを短く形成して、展示棚１を、たとえば、４枚以上の棚板３を備える構成とすることもできる。
【００４５】
【発明の効果】
以上述べたように、請求項１に記載の発明によれば、撤収作業および組み立て作業の簡易化および迅速化を図ることができるとともに、コンパクトな輸送を実現することができ、しかも、部品忘れにより組み立てできないという不具合を回避することができる。
【００４６】
請求項２に記載の発明によれば、被展示物の数など展示条件に適合させた任意の棚板の数の展示棚を構成することができ、しかも、位置決め部によって、確実な組み立てを確保することができる。
【図面の簡単な説明】
【図１】本発明の一実施形態としての展示棚を示す斜視図である。
【図２】図１に示す展示棚の各棚ユニットの折り畳み状態を示す斜視図である。
【図３】図１に示す展示棚の第１棚ユニットの組み立て工程を示す斜視図であって、（ａ）は、折り畳み状態、（ｂ）は、棚板を開けた状態、（ｃ）は、脚を開けた状態、（ｄ）は、支持板を架設した状態をそれぞれ示す。
【図４】図１に示す展示棚の第２棚ユニットの組み立て工程を示す斜視図であって、（ａ）は、折り畳み状態、（ｂ）は、棚板を開けた状態、（ｃ）は、脚を開けた状態をそれぞれ示す。
【図５】図１に示す展示棚の第３棚ユニットの組み立て工程を示す斜視図であって、（ａ）は、折り畳み状態、（ｂ）は、棚板を開けた状態、（ｃ）は、脚を開けた状態をそれぞれ示す。
【図６】図１に示す展示棚の第３棚ユニットの組み立て工程を示す断面図であって、（ａ）は、折り畳み状態、（ｂ）は、棚板を開けた状態、（ｃ）は、脚を開けた状態をそれぞれ示す。
【図７】各棚ユニットを積み上げて、展示棚を組み立てる状態を示す斜視図である。
【図８】図１に示す展示棚を用いて、実際に被展示物を展示している状態を示す斜視図である。
【符号の説明】
１　　展示棚
２　　棚ユニット
３　　棚板
４　　脚
１５　位置決め凹部
【図１】
2004016377.tif 000003
【図２】
2004016377.tif 000004
【図３】
2004016377.tif 000005
【図４】
2004016377.tif 000006
【図５】
2004016377.tif 000007
【図６】
2004016377.tif 000008
【図７】
2004016377.tif 000009
【図８】
2004016377.tif 000010